(57)【要約】【課題】排紙トレイの大型化や、駆動源や駆動機構を有する可動用紙ガイドを用いずに簡単な構成で、排出用紙のカール量が大きい条件においても堆積用紙の落下やページ順狂いの発生しない排紙装置を提供する。【解決手段】回転軸に取り付けられた２個の内側排紙ローラ及び２個の外側排紙ローラ、これらの排紙ローラにそれぞれ対向する２個の内側排紙従動ローラ及び２個の外側排紙従動ローラ、排紙ローラと同じ回転軸に外側排紙ローラの外側に隣接して回動可能に配置された排紙される用紙の側面部分を押さえる２個の端側押さえ部、及び当該回転軸に内側排紙ローラの外側に隣接して回動可能に配置された用紙の側面部分を押さえるための２個の内側押さえ部を備え、内側押さえ部と端側押さえ部は、前記回転軸から排紙ローラと排紙従動ローラの共通接線を越えて延在し、端側押さえ部は内側押さえ部よりも長く、用紙積載部に堆積した用紙に載るように構成される。【選択図】図５
2010006599.tif 000002
【特許請求の範囲】
【請求項１】
画像形成された用紙を用紙積載部に排出するための排紙装置であって、
回転軸に取り付けられた少なくとも２個の内側排紙ローラ及び少なくとも２個の外側排紙ローラ、これらの排紙ローラにそれぞれ対向する少なくとも２個の内側排紙従動ローラ及び少なくとも２個の外側排紙従動ローラ、排紙ローラと同じ回転軸に外側排紙ローラの外側に隣接して回動可能に配置された排紙される用紙の側面部分を押さえるための少なくとも２個の端側押さえ部、及び排紙ローラと同じ回転軸に内側排紙ローラの外側に隣接して回動可能に配置された用紙の側面部分を押さえるための少なくとも２個の内側押さえ部を備え、
内側押さえ部と端側押さえ部は、非退避時において、その先端が前記回転軸から排紙ローラと排紙従動ローラの共通接線を越えて延在し、
端側押さえ部は内側押さえ部よりも長く、用紙積載部に堆積した用紙に載るように構成されることを特徴とする排紙装置。
【請求項２】
端側押さえ部と内側押さえ部は、排出用紙から受ける力によって非退避時位置から持ち上げられて退避し、重力により非退避時位置に戻ることを特徴とする請求項１に記載の排紙装置。
【請求項３】
少なくとも２個の端側押さえ部は同一形状を有し、最大退避時の端側押さえ部の先端位置が排紙ローラと排紙従動ローラの共通接線よりも排紙従動ローラ側に位置し、用紙から受ける力によって用紙排出時に端側押さえ部は退避時ストッパに常時接触することを特徴とする請求項２に記載の排紙装置。
【請求項４】
少なくとも２個の内側押さえ部は同一形状を有し、最大退避時の内側押さえ部の先端位置が排紙ローラと排紙従動ローラの共通接線よりも排紙ローラ側に位置し、それで用紙排出時の内側押さえ部の退避位置は排出用紙の位置に依存することを特徴とする請求項２又は３に記載の排紙装置。
【請求項５】
少なくとも２個の端側押さえ部は用紙送行面側にＲ形状を有し、排出用紙の先端がＲ形状に沿って端側押さえ部の先端に至り、排出用紙は、排紙ローラと排紙従動ローラの共通接線よりも排紙従動ローラ側の領域であって、排出用紙の先端が排紙トレイ上の堆積用紙の後端を押さない領域に排出されることを特徴とする請求項３に記載の排紙装置。
【請求項６】
最大印刷用紙幅を有する用紙の左右の端部が、２個の端側押さえ部の幅内に存在することを特徴とする請求項３に記載の排紙装置。
【請求項７】
最小印刷用紙幅を有する用紙の左右の端部が、２個の内側押さえ部の幅内に存在することを特徴とする請求項４に記載の排紙装置。
【請求項８】
排紙従動ローラと用紙の接触範囲が、排紙ローラと用紙の接触範囲より小さくなるように、排紙従動ローラの直径は、接触範囲の終了地点から排紙従動ローラの端部まで減少し、排紙従動ローラと排紙ローラに挟持された用紙の折り曲げ点と排紙従動ローラの端部が一致しないことを特徴とする請求項３に記載の排紙装置。
【請求項９】
画像形成された用紙を用紙積載部に排出するための排紙装置であって、
回転軸に取り付けられた少なくとも２個の内側排紙ローラ及び少なくとも２個の外側排紙ローラ、これらの排紙ローラにそれぞれ対向する少なくとも２個の内側排紙従動ローラ及び少なくとも２個の外側排紙従動ローラ、排紙ローラと同じ回転軸に外側排紙ローラの外側に隣接して回動可能に配置された排紙される用紙の側面部分を押さえるための少なくとも２個の端側押さえ部、及び排紙ローラと同じ回転軸に内側排紙ローラの内側に回動可能に配置された用紙の中央部分を押さえるための少なくとも１個の中央押さえ部を備え、
中央押さえ部と端側押さえ部は、非退避時において、その先端が前記回転軸から排紙ローラと排紙従動ローラの共通接線を越えて延在し、
内側排紙従動ローラは、内側排紙ローラと接触しない内側端部において、内側排紙ローラとの圧接部におけるローラ径より大きい径の大径部分を有し、
端側押さえ部は中央押さえ部よりも長く、用紙積載部に堆積した用紙に載るように構成されることを特徴とする排紙装置。
【請求項１０】
中央押さえ部と端側押さえ部は、軸方向投影面における排紙ローラと排紙従動ローラの共通接線より中央押さえ部及び端側押さえ部の先端位置が下側になる非退避時位置から排出用紙により退避し、用紙排出後に非退避時位置に戻るように支持され、
内側排紙従動ローラの大径部分の内側に配置された中央押さえ部の先端は、退避時において、軸方向投影面において圧接する排紙ローラと排紙従動ローラの共通接線よりも上側に位置することを特徴とする請求項９に記載の排紙装置。
【請求項１１】
中央押さえ部と端側押さえ部は、軸方向投影面における排紙ローラと排紙従動ローラの共通接線より中央押さえ部及び端側押さえ部の先端位置が下側になる非退避時位置から排出用紙により退避し、用紙排出後に非退避時位置に戻るように支持され、
内側排紙従動ローラの大径部分の内側に配置された中央押さえ部の先端は、退避時において、軸方向投影面において圧接する排紙ローラと排紙従動ローラの共通接線よりも上側であって、当該共通接線と平行でこれより上側に存在する、内側排紙従動ローラの大径部分同士の接線よりも下側に位置するように規制されることを特徴とする請求項９又は１０に記載の排紙装置。
【請求項１２】
内側排紙従動ローラの大径部分は最小印刷用紙幅を有する用紙の内側に位置することを特徴とする請求項９〜１１のいずれか一項に記載の排紙装置。
【請求項１３】
内側排紙従動ローラの大径部分の内側に配置された中央押さえ部は、その先端にテーパが付けられ、先端角部の角度が鈍角であることを特徴とする請求項９〜１２のいずれか一項に記載の排紙装置。
【請求項１４】
内側排紙従動ローラの大径部分に周方向に凹凸形状が付されることを特徴とする請求項９〜１３のいずれか一項に記載の排紙装置。
【請求項１５】
請求項１〜１４のいずれか一項に記載の排紙装置、用紙を給紙搬送する搬送手段、画像を用紙に転写する転写手段、及び転写された画像を加熱・加圧して用紙に定着させる定着装置を備えた画像形成装置。
【発明の詳細な説明】
【技術分野】
【０００１】
本発明は、排紙ローラ対により排紙トレイ上に用紙を排出・堆積する排紙装置、特に、熱定着方式などを用いることで用紙にカールが発生するプリンターやコピーなどの画像形成装置の排紙装置及びこれを有する画像形成装置に関する。
【背景技術】
【０００２】
従来、画像形成プロセスにおいてトナー像を定着させる定着装置において、加熱ローラと加圧ローラによる定着処理を受けた用紙は、熱ストレスや雰囲気温度によって排紙方向に対して直交する方向に用紙両端部が上昇するようにカールすることがある（図１０参照）。定着装置から搬送されてきた用紙を排紙ローラにより排出し、排紙トレイ上に印刷済用紙を堆積させる排紙装置においては、特に堆積用紙のサイド部分の上向きのカール量が大きい場合、後から出てくる排出用紙の先端が排紙トレイ上の堆積用紙の後端を押して又はその下に潜り込むことで、堆積用紙の落下又はページ順狂いが発生する場合がある。このような不具合を解消するために、排紙トレイを大型化し又は排紙ローラ近傍に可動用紙ガイドを追加してきた。
【０００３】
例えば、特許文献１では、ソレノイドなどの駆動源により動作する可動用紙ガイドを設け、これにより、用紙先端排出時は排出用紙が堆積用紙を用紙先端で押さないように上方を向かせ、用紙後端排出時は堆積用紙の後端が浮き上り排出用紙の先端で押されにくいように下方を向かせることで堆積用紙の落下やページ順狂いを防止している。
しかしながら、排紙トレイを大きくするとその分マシンサイズも大きくなり、また特許文献１のような可動用紙ガイドを用いると駆動源、ギヤ又はスプリングを必要とするのでその分のスペースを確保する必要がある。そこで、大きな排紙トレイや可動用紙ガイドを用いなければさらなる小型化及び低コスト化が可能になる。
【０００４】
また、特許文献２では、用紙を押さえ付けるためのシート部材を用紙の両側に設け、シート部材の下端を用紙が排出されてくる排紙ローラとその対向ローラのニップより下に位置させることで用紙の両側のカールを防止し、それで排紙トレイ上にある用紙の後端が次に排出される用紙の先端によって押されるのを防止している。
しかしながら、この場合両端側のシート部材が用紙に対して長いため、用紙に折れなどが発生する恐れがある。
【０００５】
特許文献３では、排紙駆動コロと排紙従動コロの外側に、腰付けコロ、これを揺動させるためのアーム部材、アーム部材を付勢するための引っ張りスプリングなどを別個に設け、腰付けコロによって薄紙及び厚紙に対して適度に腰を付ける手段を開示している。しかし、腰付けコロなどを配置するためのコストとスペースが必要になる。
【０００６】
特許文献４では、排紙ローラ対の軸と異なる軸に設置された２個のスプーン状のフィラー部、積載された用紙がバックカールかカール無しかを検出するバックカール検知センサ、バックカール用満杯検知板などを設けて、バックカールの有無を判断している。しかし、やはりこれらを設けるためのコストとスペースが必要になる。
【０００７】
特許文献５は、保持部材としてのフレーム部材に一方の端部を固定され、他方の端部を摺動可能に保持されたシート押さえ部材であって、その両端部間に積載台方向に突出した折り曲げ部を有し、折り曲げ部が積載台の面受け部に近接するように構成されたものを開示している。しかし、排出ローラが設けられた軸と別個に当該フレーム部材を設けるためのコストとスペースが必要になる。
【０００８】
特許文献６は、排紙ローラによって排出される用紙の先端部分には接触せず、排紙ローラによって既に排出された用紙の後端部分に接触する位置に設置された押さえ部材を開示している。
【０００９】
また、定着装置から搬送されてきた用紙を排紙ローラにより排出し、排紙トレイ上に印刷済用紙を堆積させる排紙装置を有する画像形成装置では、従来から排紙ローラから排出する用紙にコシ付けを行い、排紙トレイ形状に合わせて排紙トレイへの排出用紙の着地点をコントロールしてスタック用紙の揃い性を良くすることが行なわれている。この用紙へのコシ付けを行なう手段として、排紙ローラ対のニップ部に対して径の大きな部分を駆動ローラ又は従動ローラ軸上に設けることが多い。また、排紙ローラ対近傍に用紙後端が滞留するのを防止して排紙トレイ上に確実に用紙をスタックさせるために、排紙ローラ対のニップ部よりも大径で凹凸形状を有する蹴りだし部材により用紙後端を蹴りだすことも行なわれている。
【００１０】
一方、排出用紙のカール量が大きい場合は、排紙トレイ上の堆積用紙の後端を後から排出される用紙の先端が押して堆積用紙の落下やページ順狂いが発生することがある。このため簡易な構成で排出用紙のカール量を低減させ、また、堆積用紙の後端付近を排紙トレイに押さえ付けて排出用紙先端が堆積用紙後端を押出さないようにするため、用紙押さえ部材を設置する場合がある。
しかし、端側の用紙押え部材の追加により用紙の端が下側に撓められると、幅方向に用紙の波打ち状の撓みが形成されて、前述の用紙のコシ付けや蹴り出しのための大径部分に対して用紙が逃げがちになり、狙いの効果が得られない場合もある。
【００１１】
特許文献７は、排出時の用紙の丸まりや前の用紙の押し出しなどの不具合を解消するために、排紙トレイに向かう用紙と摺接する排出爪表面の用紙幅方向略中央部に、用紙に波上の撓みを付けるための突起を設けた手段を開示している。
【００１２】
特許文献８は、胴内トレイ上に排出される用紙の端部が用紙の材質や吸湿状態などによって大きくカールする場合でも、カールを抑えるための用紙押さえ機構・用紙押さえ部材を開示している。
【００１３】
【特許文献１】特開平５−３３８８９９号公報
【特許文献２】特開２００１−２７０６４２号公報
【特許文献３】特開２００２−２８４４４１号公報
【特許文献４】特開２０００−２６００５号公報
【特許文献５】特開平１１−７９５１９号公報
【特許文献６】特開２００２−２４９２７０号公報
【特許文献７】特許第３３２３６６１号公報
【特許文献８】特許第４１１６９７３号公報
【発明の開示】
【発明が解決しようとする課題】
【００１４】
そこで、本発明では、定着装置から搬送されてきた用紙を排紙ローラにより排出し、排紙トレイ上に印刷済用紙を堆積させる排紙装置を有する画像形成装置において、排紙トレイの大型化や、駆動源や駆動機構を有する可動用紙ガイドを用いずに簡単な構成で、特に排出用紙に上向きの大きなサイドカールが生じる場合でも、堆積した排出用紙がカールによってかさばらず、後から出てくる排出用紙の先端が排紙トレイ上の堆積用紙の後端を押さず又はその下に潜り込まず、従って、堆積用紙の落下又はページ順狂いなどが生じない画像形成装置を提供することを目的とする。
【００１５】
さらに、本発明は排紙ローラ対により排紙トレイ上に用紙を排出する排紙装置において、簡易な構成でカールの大きい排出用紙に対して押出しによる排紙トレイからの用紙落下やページ順狂いを防止するとともに、用紙の幅方向の撓みが生じる場合でも排出用紙に狙いのコシ付けを行い又は用紙後端の蹴りだしを確実に行うことができる、様々なカール状態の用紙に対してもスタック性の良い排紙装置を提供することを目的とする。
【課題を解決するための手段】
【００１６】
本発明の画像形成された用紙を用紙積載部に排出するための排紙装置は、回転軸に取り付けられた少なくとも２個の内側排紙ローラ及び少なくとも２個の外側排紙ローラ、これらの排紙ローラにそれぞれ対向する少なくとも２個の内側排紙従動ローラ及び少なくとも２個の外側排紙従動ローラ、排紙ローラと同じ回転軸に外側排紙ローラの外側に隣接して回動可能に配置された排紙される用紙の側面部分を押さえるための少なくとも２個の端側押さえ部、及び排紙ローラと同じ回転軸に内側排紙ローラの外側に隣接して回動可能に配置された用紙の側面部分を押さえるための少なくとも２個の内側押さえ部を備え、内側押さえ部と端側押さえ部は、非退避時において、その先端が前記回転軸から排紙ローラと排紙従動ローラの共通接線を越えて延在し、端側押さえ部は内側押さえ部よりも長く、用紙積載部に堆積した用紙に載るように構成されると有利である。
【００１７】
そして、端側押さえ部と内側押さえ部は、回転軸と排紙ローラから構成される排紙ローラの回転軸に回動可能に固定され、排出用紙からの力によって非退避時位置から持ち上げられて退避し、重力により非退避時位置に戻るように構成されると好ましい。
【００１８】
また、少なくとも２個の端側押さえ部は同一形状を有し、最大退避時の端側押さえ部の先端位置が排紙ローラと排紙従動ローラの共通接線よりも排紙従動ローラ側に位置し、用紙からの力によって用紙排出時に端側押さえ部は退避時ストッパに常時接触すると好ましい。
【００１９】
また、少なくとも２個の内側押さえ部は同一形状を有し、最大退避時の内側押さえ部の先端位置が排紙ローラと排紙従動ローラの共通接線よりも排紙ローラ側に位置するため、用紙排出時の内側押さえ部の退避位置は排出用紙の位置に依存すると好ましい。
【００２０】
また、少なくとも２個の端側押さえ部は用紙送行面側にＲ形状を有し、排出用紙の先端がＲ形状に沿って端側押さえ部の先端に至り、排出用紙は、排紙ローラと排紙従動ローラの共通接線よりも排紙従動ローラ側の領域であって、排出用紙の先端が排紙トレイ上の堆積用紙の後端を押さない領域に排出されると好ましい。
【００２１】
また、最大印刷用紙幅を有する用紙の左右の端部が、２個の端側押さえ部の幅内に存在すると好ましい。さらに、最小印刷用紙幅を有する用紙の左右の端部が、２個の内側押さえ部の幅内に存在すると好ましい。
【００２２】
また、排紙従動ローラと用紙の接触範囲が排紙ローラと用紙の接触範囲より小さくなるように、排紙従動ローラの直径は接触範囲の終了地点から排紙従動ローラの端部まで減少し、それにより、排紙従動ローラと排紙ローラに挟持された用紙の折り曲げ点と排紙従動ローラの端部が一致しないと好ましい。
【００２３】
さらに、本発明の画像形成された用紙を用紙積載部に排出するための排紙装置は、回転軸に取り付けられた少なくとも２個の内側排紙ローラ及び少なくとも２個の外側排紙ローラ、これらの排紙ローラにそれぞれ対向する少なくとも２個の内側排紙従動ローラ及び少なくとも２個の外側排紙従動ローラ、排紙ローラと同じ回転軸に外側排紙ローラの外側に隣接して回動可能に配置された排紙される用紙の側面部分を押さえるための少なくとも２個の端側押さえ部、及び排紙ローラと同じ回転軸に内側排紙ローラの内側に回動可能に配置された用紙の中央部分を押さえるための少なくとも１個の中央押さえ部を備え、中央押さえ部と端側押さえ部は、非退避時において、その先端が前記回転軸から排紙ローラと排紙従動ローラの共通接線を越えて延在し、内側排紙従動ローラは、内側排紙ローラと接触しない内側端部において、内側排紙ローラとの圧接部におけるローラ径より大きい径の大径部分を有し、端側押さえ部は中央押さえ部よりも長く、用紙積載部に堆積した用紙に載るように構成されると有利である。
【００２４】
また、中央押さえ部と端側押さえ部は、軸方向投影面における排紙ローラと排紙従動ローラの共通接線より中央押さえ部及び端側押さえ部の先端位置が下側になる非退避時位置から排出用紙により退避し、用紙排出後に非退避時位置に戻るように支持され、内側排紙従動ローラの大径部分の内側に配置された中央押さえ部の先端は、退避時において、軸方向投影面において圧接する排紙ローラと排紙従動ローラの共通接線よりも上側に位置すると好ましい。
【００２５】
また、中央押さえ部と端側押さえ部は、軸方向投影面における排紙ローラと排紙従動ローラの共通接線より中央押さえ部及び端側押さえ部の先端位置が下側になる非退避時位置から排出用紙により退避し、用紙排出後に非退避時位置に戻るように支持され、内側排紙従動ローラの大径部分の内側に配置された中央押さえ部の先端は、退避時において、軸方向投影面において圧接する排紙ローラと排紙従動ローラの共通接線よりも上側であって、当該共通接線と平行でこれより上側に存在する、内側排紙従動ローラの大径部分同士の接線よりも下側に位置するように規制されると好ましい。
【００２６】
また、内側排紙従動ローラの大径部分は最小印刷用紙幅を有する用紙の内側に位置すると好ましい。
【００２７】
また、内側排紙従動ローラの大径部分の内側に配置された中央押さえ部は、その先端にテーパが付けられ、先端角部の角度が鈍角であると好ましい。
【００２８】
また、内側排紙従動ローラの大径部分に周方向に凹凸形状が付されると好ましい。
【００２９】
また、本発明の画像形成装置が、前記排紙装置、用紙を給紙搬送する搬送手段、画像を用紙に転写する転写手段、及び転写された画像を加熱・加圧して用紙に定着させる定着装置を備えると好ましい。
【発明の効果】
【００３０】
本発明に係る排紙装置では、回転軸に取り付けられた少なくとも２個の内側排紙ローラ及び少なくとも２個の外側排紙ローラ、これらの排紙ローラにそれぞれ対向する少なくとも２個の内側排紙従動ローラ及び少なくとも２個の外側排紙従動ローラ、排紙ローラと同じ回転軸に外側排紙ローラの外側に隣接して回動可能に配置された排紙される用紙の側面部分を押さえるための少なくとも２個の端側押さえ部、及び排紙ローラと同じ回転軸に内側排紙ローラの外側に隣接して回動可能に配置された用紙の側面部分を押さえるための少なくとも２個の内側押さえ部を備え、内側押さえ部と端側押さえ部は、非退避時において、その先端が前記回転軸から排紙ローラと排紙従動ローラの共通接線を越えて延在し、端側押さえ部は内側押さえ部よりも長く、用紙積載部に堆積した用紙に載るように構成される。これにより、用紙のサイド部分は排出時に内側押さえ部及び端側押さえ部の自重によって下向きに画像形成装置本体側に向かって撓みが形成され、コシが付けられるので、特に排出用紙のサイド部分の上向きのカール量を低減することができ、排出用紙先端の堆積用紙に対する接触領域が減少して堆積用紙が排出用紙先端によって押されにくくなる。さらに、端側押さえ部が自重により堆積用紙の後端付近を排紙トレイに対して押さえ付け平らにすることで、堆積用紙の後端部がカールによりかさばることなく、従って、カールのために、次に排出される用紙の先端が堆積用紙の後端部を押しにくく又は堆積用紙の下に潜り込みにくくなる。このようにして、特にサイドカール量の大きい用紙であっても用紙落下やページ順狂いを発生せずに排出用紙を排紙トレイ上に確実に堆積することができる。
【００３１】
また、これらの簡素な構成により排紙トレイを大きくすることなく又は駆動源を要する可動ガイドを追加することなく、用紙落下やページ順狂いを発生することのない高画質な画像形成装置を実現でき、同時に装置の小型化及び低コスト化も実現される。
【００３２】
さらに、特許文献２では用紙に対して両端側の用紙押さえが長いため、用紙が折れる恐れがある。しかし、本発明によれば、用紙の端側を押さえる端側押さえ部に加えて、用紙の内側を押さえる内側押さえ部を有する。この端側押さえ部により、撓みが形成され、用紙にコシを付けることでカール量が低減され、さらに端側押さえ部は排出用紙を上から押さえるので排出用紙先端が堆積用紙を押しにくくなり、落下が防止される。また、内側押さえ部により、用紙端部が用紙にコシを付ける端側押さえ部の内側に入り込み、用紙の折れなどの発生が防止され、さらには端側押さえ部と協働して用紙の後端を押し下げる力が増加される。そのため、Ａ４用紙やレター用紙などの幅が広く大きい重量を有する用紙にも対応することができる。
【００３３】
また、端側押さえ部を内側押さえ部よりも長くすることで、特にＡ４用紙、レター用紙及びリーガル用紙などの最大印刷用紙幅を有する使用頻度の高い用紙であって、カール量も大きい用紙に対してカールを矯正するための大きい撓みを形成することができる。
【００３４】
また、端側押さえ部と内側押さえ部は、排出用紙からの力によって非退避時位置から持ち上げられて退避し、重力により非退避時位置に戻るように構成されることで、簡単かつ確実に排出用紙に対して排紙ローラの回転軸方向に撓みを形成することができる。
【００３５】
また、端側押さえ部と内側押さえ部が少なくとも２個ずつ設けられ、端側押さえ部は、一対の排紙ローラ及び排紙従動ローラの外側に設置され、内側押さえ部は、一対の排紙ローラ及び排紙従動ローラの外側に設置されることで、小さい用紙でも大きい用紙でもその両側に確実に所望の撓みが付与されるため、排出用紙の先端が堆積用紙の後端を押さず、カール量の大きい用紙においても用紙落下やページ順狂いを発生することなく用紙を排紙トレイ上に堆積することができる。
【００３６】
また、少なくとも２個の端側押さえ部は同一形状を有し、最大退避時の端側押さえ部の先端位置が排紙ローラと排紙従動ローラの共通接線よりも排紙従動ローラ側に位置し、用紙から受ける力のため用紙排出時に端側押さえ部は退避時ストッパに常時接触することで、端側押さえ部は回転軸を中心に回転した最大退避時の状態が継続する。そのため、用紙は排紙トレイ側へ屈曲し排出され、用紙落下やページ順狂いが発生することはない。
【００３７】
また、少なくとも２個の内側押さえ部は同一形状を有し、最大退避時の内側押さえ部の先端位置が排紙ローラと排紙従動ローラの共通接線よりも排紙ローラ側に位置することで、用紙排出時の内側押さえ部の退避位置は排出用紙の位置に依存し、用紙は共通接線を超えて所望でない位置に堆積することがない。
【００３８】
また、少なくとも２個の端側押さえ部は用紙送行面側にＲ形状を有し、排出用紙の先端がＲ形状に沿って端側押さえ部の先端に至り、排出用紙は、排紙ローラと排紙従動ローラの共通接線よりも排紙従動ローラ側の領域であって、排出用紙の先端が排紙トレイ上の堆積用紙の後端を押さない領域に排出されることで、用紙は排紙トレイ上に確実に堆積される。
【００３９】
また、最大印刷用紙幅を有する用紙の左右の端部が２個の端側押さえ部の幅内に存在することで、最大サイズの用紙の両端部にも撓みが確実に形成され、用紙のカール量が低減される。さらに、最小印刷用紙幅を有する用紙の左右の端部が２個の内側押さえ部の幅内に存在することで、最小サイズの用紙の両端部にも撓みが確実に形成され、用紙のカール量が低減される。
【００４０】
また、排紙従動ローラと用紙の接触範囲が排紙ローラと用紙の接触範囲よりも小さくなるように、排紙従動ローラの直径が接触範囲の終了地点から排紙従動ローラの端部まで減少することで、排紙従動ローラと排紙ローラに挟持された用紙の折り曲げ点と排紙従動ローラの端部が一致しないため、用紙が急激に折り曲げられることなく、用紙に形成された画像へのダメージを回避することができる。
【００４１】
さらに、内側押さえ部に代えて用紙の中央部分を押さえるための少なくとも１個の中央押さえ部によって、用紙の幅方向の撓みが抑制され、当該中央押さえ部と、内側排紙従動ローラの内側排紙ローラと接触しない内側端部に設けられた大径部分とによって、用紙のコシ付けが確実になされる。さらに、最小印刷用紙幅から最大印刷用紙幅までの用紙に対応できる。また、前記と同様に、端側押さえ部による用紙のサイド部分の下向きの撓みの形成により、排出用紙のサイド部分の上向きのカール量の低減が得られ、端側押さえ部の自重による堆積用紙の後端付近の排紙トレイに対する押さえ付けにより、堆積用紙の後端部がカールによりかさばらず、よって、次に排出される用紙の先端が堆積用紙の後端部を押しにくく又は堆積用紙の下に潜り込みにくくなる。
【００４２】
端側押さえ部の先端は、排紙ローラと排紙従動ローラの共通接線より下側になる非退避時位置から排出用紙により退避し、用紙排出後に非退避時位置に戻るように支持されることで、簡単な構成で用紙のサイドカールを減少させ、中央押さえ部は内側排紙従動ローラの大径部分と相まって、用紙の中央付近にコシを付けることができる。また、中央押さえ部の先端は、退避時において用紙が排出される方向である排紙ローラと排紙従動ローラの共通接線よりも上側に退避可能であるので、内側排紙従動ローラの大径部分と中央押さえ部との間で用紙に必要以上のストレスを与えるのを防ぐことができる。
【００４３】
また、前記の効果に加えて、中央押さえ部の先端は、退避時において排紙ローラと排紙従動ローラの共通接線よりも上側であって、当該共通接線と平行でこれより上側に存在する、内側排紙従動ローラの大径部分同士の接線よりも下側に位置するように規制されるので、用紙の幅方向の撓みを抑えながら排出用紙へのコシ付けを確実に行なうことができる。
【００４４】
また、内側排紙従動ローラの大径部分は最小印刷用紙幅を有する用紙の内側に位置するので、最小印刷用紙幅を含むあらゆるサイズの用紙に対して用紙の幅方向の撓みを規制して排出用紙へのコシ付けを行なうことができる。
【００４５】
また、内側排紙従動ローラの大径部分の内側に配置された中央押さえ部は、その先端にテーパが付けられ、先端角部の角度が鈍角であるので、用紙に対するストレスを緩和して用紙への筋などのダメージを与えずに用紙の幅方向の撓みを規制して排出用紙へのコシ付けを行なうことができる。
【００４６】
また、内側排紙従動ローラの大径部分に周方向に凹凸形状が付されるので、排出用紙へのコシ付けに加えて、排出用紙後端が凹凸部分にひっかかることで後端を蹴り出して用紙を確実に用紙積載部に排出する機能が得られ、排出ローラ近傍における用紙の滞留や用紙落下が生じることはない。
【００４７】
また、本発明の画像形成装置は、前記排紙装置、用紙を給紙搬送する搬送手段、画像を用紙に転写する転写手段、及び転写された画像を加熱・加圧して用紙に定着させる定着装置を備えることで、用紙落下やページ順狂いが発生しない信頼度の高い装置を提供することができる。
【発明を実施するための最良の形態】
【００４８】
以下、本発明の実施形態について図１を用いて説明する。
図１は本発明の全体図（中央断面図）を示す。給紙カセット２７より給紙ローラ２８により給紙された用紙４が、レジストローラ２９，３０により送り出され、転写駆動ローラ３１、転写従動ローラ３２に達する。転写駆動ローラ３１は、中間転写体ベルト３３内にあり中間転写体ベルト３３を回転駆動させている。
【００４９】
ここで画像形成プロセスについて説明する。
現像剤として夫々色の異なるトナーを収容した４つの現像器３４（３４ａ、３４ｂ、３４ｃ、３４ｄ）とこれらの現像器３４と組み合わせて配置された感光体３５（３５ａ、３５ｂ、３５ｃ、３５ｄ）が配置され、感光体３５に当接する帯電ローラ３６（３６ａ、３６ｂ、３６ｃ、３６ｄ）が設けられている。これらを一体として感光体ユニット３７（３７ａ、３７ｂ、３７ｃ、３７ｄ）が構成されている。帯電ローラ３６は、感光体３５の表面に接触して感光体３５の表面を一様に帯電させる。続いて、露光装置３８が、感光体３５の表面をレーザ光３９で露光して、感光体３５の表面に静電潜像を形成する。次いで、現像器３４は、感光体３５の表面に形成された静電潜像をトナーで顕像化して、感光体３５の表面にトナー像を形成する。続いて、感光体３５の表面から中間転写体ベルト３３の表面にトナー像が転写される。
【００５０】
以上のような画像形成プロセスを経て、転写駆動ローラ３１、転写従動ローラ３２により中間転写ベルト３３上のトナー像が用紙に転写され、定着装置２６へ搬送されて定着ローラ４０、加圧ローラ４１で画像が用紙４に定着され、排紙装置１により用紙４が排紙トレイ３上に堆積され印刷が終了する。
【００５１】
排紙装置について図２を用いて説明する。
図２（１）は排紙装置１の側面断面図、図２（２）は排紙装置１の斜視図をそれぞれ示す。本発明の排紙装置１は、回転軸２ａと外側及び内側排紙ローラ２ｂから構成される排紙ローラ群２、排紙ローラ群２を駆動させる図示されない駆動源、排紙ローラ群２により従動回転し排紙トレイ３へと用紙４を搬送する外側排紙従動ローラ５ａ及び内側排紙従動ローラ５ｂ、排紙ローラ群２により従動回転し搬送途中で反転する反転従動ローラ６、排紙ローラ群２と外側排紙従動ローラ５ａ及び内側排紙従動ローラ５ｂの当接部に用紙４を搬送するガイド７、排紙ローラ群２と反転従動ローラ６の当接部に用紙４を搬送するガイド８、反転従動ローラ６で反転した用紙４を反転搬送部に導くガイド９、搬送されてきた用紙４を排紙ローラ群２と外側排紙従動ローラ５ａ及び内側排紙従動ローラ５ｂの当接部及び排紙ローラ群２と反転従動ローラ６の当接部に切り替える切り替えガイド１０、切り替えガイド１０を制御する図示しない切り替え制御機構からなる。
【００５２】
また、排紙ローラ群２は回転軸２ａと外側及び内側排紙ローラ２ｂから構成されており、外側及び内側排紙ローラ２ｂはゴム材料で構成することで、外側及び内側排紙ローラ２ｂと外側排紙従動ローラ５ａ及び内側排紙従動ローラ５ｂ、及び反転従動ローラ６の当接部に挟持された用紙４と外側及び内側排紙ローラ２ｂの間で用紙搬送に必要な摩擦力をもたせている。端側押さえ部１１ａ及び内側押さえ部１１ｂが、排紙ローラ群２の回転軸２ａに回転可能に、排紙ローラ群２の回転動作には同期しないで固定されている。
【００５３】
次いで、図３を用いて用紙排出時の端側押さえ部１１ａの動作について説明する。
定着装置２６から外側及び内側排紙ローラ２ｂと外側排紙従動ローラ５ａに挟持され搬送されてきた用紙４は、その用紙先端４ｓで、非退避時の位置にある端側押さえ部１１ａのＲ形状のついた用紙搬送面１２に接触する（図３（３）参照）。ここで、非退避時とは、端側押さえ部１１ａの回動軌跡Ａ内に排紙トレイ３上に用紙４が堆積していない場合における端側押さえ部１１ａが自重により下がり、用紙搬送面１２がガイド７のストッパ部１３に載っているとき、及び端側押さえ部１１ａの回動軌跡Ａ内に排紙トレイ３上に用紙４が堆積している場合における端側押さえ部１１ａが自重により下がり、端側押さえ部１１ａの先端部１６が排紙トレイ３上に堆積した用紙４に載っているときをいう（図３（１），（２）参照）。
【００５４】
ここで、端側押さえ部１１ａは、回転軸から排紙ローラと排紙従動ローラの共通接線を越えて延在しているため、排出用紙のサイド部分と接触して自重により用紙に下向きの力を加えて腰を付け、用紙の側面部分の上向きのサイドカールを低減する。また、端側押さえ部１１ａは、トレイに堆積した用紙に載るように構成されており、そのため、自重により堆積用紙４の後端付近を排紙トレイ３に対して押さえ付け平らにする。ここで、Ａ４用紙、レター用紙及びリーガル用紙などの最大印刷用紙幅を有する使用頻度の高い用紙ではカール量も大きいので、カールを矯正する撓みも大きくなるように端側押さえ部１１ａが内側押さえ部１１ｂよりも長ければ好ましい。このようにして、堆積用紙４の後端部４ｋはカールによりかさばることなく、従って、カールのために、次に排出される用紙の先端が堆積用紙の後端部４ｋを押すことが回避される。なお、端側押さえ部１１ａの先端部１６は、用紙が例えばトレイから２０ｍｍ程の高さまで堆積すると堆積用紙の後端部４ｋに載ることになる。さもなければ、端側押さえ部１１ａはガイド７のストッパ部１３に載ることになる。
【００５５】
次いで、用紙４はさらに搬送される。この際、端側押さえ部１１ａの先端部１６は、端側押さえ部１１ａの位置決め部１４がガイド８に設けられた退避時ストッパ１５に接触する最大退避時において、外側及び内側排紙ローラ２ｂと外側排紙従動ローラ５ａの共通接線１７の方向（端側押さえ部１１ａ及び内側押さえ部１１ｂが無い場合の用紙の排出方向）よりも外側排紙従動ローラ５ａ側に距離Ｌ１の位置にある（図３（２）参照）。そのため、端側押さえ部１１ａは回転軸２ａを中心に排出用紙のばね力Ｆによって最大退避時の位置を維持し、排出用紙は排紙トレイ３側へ屈曲し排出される。前記排出方向は搬出範囲Ａ内に予め設定してあり、それで排出用紙が排紙トレイ３側に屈曲し過ぎて、排出用紙の先端４ｓが排紙トレイ３上に堆積している用紙４の後端４ｋを押すことはない。
【００５６】
排出中の用紙４の用紙後端４ｋが外側及び内側排紙ローラ２ｂと外側排紙従動ローラ５ａの間から抜けると、端側押さえ部１１ａは非退避位置に戻り（図３（１）参照）、端側押さえ部１１ａは自重により用紙４の用紙後端４ｋを排紙トレイ３又は堆積している用紙４に向かって押し下げる。端側押さえ部１１ａの長さＬａは、堆積している用紙４の用紙後端４ｋからＬ２の距離に位置するよう設定してあり、端側押さえ部１１ａの先端部１６は用紙４に接触する。
【００５７】
このように、端側押さえ部１１ａの先端部１６は用紙４に接触して押さえ付けることで、図１０に示すように上向きにサイドカールをした用紙４においても、排紙トレイ３上に堆積している用紙４の用紙後端４ｋはカールによってかさばることがない。従って、堆積用紙の高さが外側及び内側排紙ローラ２ｂと外側排紙従動ローラ５ａの共通接線を超えることはないので、排紙されてくる用紙先端４ｓが排紙トレイ３上の堆積用紙４の用紙後端４ｋを押して堆積用紙が落下したり、ページ順狂いなどのスタック不良が発生したりするのを未然に防ぐことができる。
【００５８】
続いて、図４を用いて用紙排出時の内側押さえ部１１ｂの動作について説明する。
端側押さえ部１１ａと同様に、定着装置２６から外側及び内側排紙ローラ２ｂと内側排紙従動ローラ５ｂに挟持され搬送されてきた用紙４は、用紙先端４ｓが非退避時の内側押さえ部１１ｂのＲ形状のついた用紙搬送面１２に接触する。ここで、非退避時とは、内側押さえ部１１ｂが自重により下がり、用紙搬送面１２がガイド７のストッパ部１３に載っている状態をいう（図４（１）参照）。排紙トレイ３上に堆積した用紙４の用紙後端４ｋが内側押さえ部１１ｂの回動軌跡Ｂ内に入らないように、内側押さえ部１１ｂの長さＬｂが決められている。
【００５９】
さらに用紙４が搬送されると、内側押さえ部１１ｂの場合は回転軸２ａを中心に押し上げられる。この際、内側押さえ部１１ｂの位置決め部１４がガイド８に設けてある最大退避時用ストッパ１５に接触する最大退避時において、内側押さえ部１１ｂの先端部１６は、外側及び内側排紙ローラ２ｂと内側排紙従動ローラ５ｂの共通接線１７の方向（端側押さえ部１１ａ及び内側押さえ部１１ｂが無い場合の用紙排出方向）よりも外側及び内側排紙ローラ２ｂ側に位置する。よって、内側押さえ部１１ｂは最大退避位置には至らず、先端部１６が排出用紙４上に載った位置が退避位置となる（図４（２）参照）。
【００６０】
排出中の用紙４は内側押さえ部１１ｂにより排出方向を変えられることはなく、外側及び内側排紙ローラ２ｂと内側排紙従動ローラ５ｂの共通接線方向の近傍に排出される。前記のように、内側押さえ部１１ｂも、端側押さえ部１１ａの場合と同様に回転軸から排紙ローラと排紙従動ローラの共通接線を越えて延在しているため、排出中の用紙４の用紙後端４ｋが外側及び内側排紙ローラ２ｂと内側排紙従動ローラ５ｂの間から抜ける際、排出用紙と接触して自重により用紙に下向きの力を加えて腰を付け、用紙の上向きのサイドカールを低減し、用紙４の用紙後端４ｋを排紙トレイ３又は堆積している用紙４に向かって押す働きを有する。
【００６１】
このようにして、端側押さえ部１１ａと内側押さえ部１１ｂに対して異なる動作範囲及び形状を与えることで得られる排出中の用紙４の形状を図５に示す。図５（１）は、幅広用紙の排出時における、外側及び内側排紙ローラ２ｂと外側排紙従動ローラ５ａ及び内側排紙従動ローラ５ｂに向かって共通接線方向から見た図である。図５（２）は同様に幅狭用紙の排出時における図を示す。
【００６２】
用紙４の左右端部１９は、外側及び内側排紙ローラ２ｂと外側排紙従動ローラ５ａによって挟持された付近を折曲がり点１８として排紙トレイ３の方向に変形される（図５参照）。この変形によって用紙にコシを付けながら用紙は排出されるので、図１０に示すようなサイドカール用紙を筆頭とする様々なカール用紙のサイド部分のカール量２０を低減させることができる。
【００６３】
本発明の排紙装置及び画像形成装置においては、Ａ４用紙、レター用紙及びリーガル用紙の幅を最大印刷用紙幅としている。そして、これらの使用頻度の高い用紙の左右端部１９が端側押さえ部１１ａの幅Ｗａ内に入るように設定することで、用紙押さえ手段による排紙トレイ３上に堆積している用紙４の用紙後端４ｋの押さえ効果やサイドカール量低減効果が、使用頻度の高い用紙において得られる。
【００６４】
また、Ｂ５用紙などの用紙幅が狭くカール量の少ない用紙の場合、用紙左右端部１９が内側押さえ部１１ｂの幅Ｗｂ内に入るように設定することで、前記のカール押さえ１１ｂの排出用紙後端及びサイドに対する効果が得られる。
【００６５】
図６〜８は本発明の別な実施形態を示す。
図６（１）は幅広用紙の排出時における図であり、前記実施形態と同様に、排紙ローラ群２は回転軸２ａと排紙ローラ２ｂから構成され、搬送基準である用紙搬送中心に対して対称位置に４個の排紙ローラ２ｂを配置し、外側排紙ローラ２ｂには外側排紙従動ローラ５ａが、内側排紙ローラ２ｂには内側排紙従動ローラ５ｂがそれぞれ当接している。排紙ローラ２ｂはゴムを用いることで排紙ローラ２ｂと排紙従動ローラ５ａ，５ｂの当接部に挟持された用紙４と排紙ローラ２ｂの間で用紙搬送に必要な摩擦力を持たせている。排紙ローラ群２の回転軸２ａには用紙押さえ１１ａ，１１ｂが回動可能であって排紙ローラ群２の回転動作には同期しないように保持されている。
【００６６】
当該実施形態では、内側排紙従動ローラ５ｂは、内側排紙ローラ２ｂに当接しない幅方向内側部分において、内側排紙ローラ２ｂと当接するニップ部分のコロ径よりも大きな径の凸部５１を有している。回転軸２ａには、外側の排紙ローラ対である外側排紙ローラ２ｂ及び外側排紙従動ローラ５ａのさらに外側に配置された２個の端側押さえ部１１ａと、内側の排紙ローラ対である２個の内側排紙ローラ２ｂ及び内側排紙従動ローラ５ｂの間で用紙搬送中心に配置された中央用紙押さえ部１１ｃの合計３個の用紙押さえ部が配置されている。
【００６７】
このような大径部分５１を有することで、排出用紙は大径部分によって上方向に力を加えられ、さらに中央用紙押さえ部１１ｃが下方向に力を加えることで、排出用紙の中央部分において撓みが形成される。この撓みにより用紙にコシが付けられるため、用紙は排出と同時に下方に垂れ下がることなく前方に大きく排出される。これにより、カールの大きい排出用紙に対しても十分なコシ付けがなされ、排出用紙が堆積用紙を押出すこともなく排紙トレイからの用紙落下やページ順狂いを防止することができる。
なお、内側排紙従動ローラ５ｂの大径部分５１は、図７に示すように大径の凸部と、ニップ部と同じ径の凹部とが周方向に交互に並んだ凹凸形状として構成されてもよい。これにより、排出用紙の後端は大径部分５１の凸部にひっかかり確実に蹴り出されることになり、排出用紙への狙いのコシ付けを行いつつ用紙落下やページ順狂いの防止を強化できる。
【００６８】
図６（２）は、さらに別な実施形態を示しており、図６（１）とは異なり幅狭用紙の排出時を示す図である。ここでは、２個の内側押さえ部１１ｂが、端側押さえ部１１ａと中央押さえ部１１ｃの間にさらに配置されている。また、後に詳述するように、内側排紙従動ローラ５ｂと内側排紙ローラ２ｂの回転軸２ａに沿う接触範囲を排紙ローラ幅の回転軸に沿う幅よりも狭くするため、内側排紙従動ローラ５ｂの軸方向外側の端部はその中央部に比べて直径が減少している。これにより、幅狭用紙の両端部は内側押さえ部１１ｂによって図６（２）に示すように折れ曲がるため、用紙４に加わる力は分散され、画像傷などが確実に回避される。さらに、直径を減少させた従動ローラ５ｂのローラ端部の湾曲した滑らかな表面に沿って用紙４の画像面側がガイドされるようになるので、急激な折れが生じず、画像傷などが回避される。
【００６９】
図８（１），（２）は、軸方向投影面における図であり、用紙排出時の中央押さえ部１１ｃの動作を示す。なお、端側押さえ部１１ａと内側押さえ部１１ｂについては図３に示される態様と同じであり、ここでは説明を省略する。
定着装置２６から排紙ローラ２ｂと排紙従動ローラ５ｂに挟持され搬送されてきた用紙４は、用紙先端４ｓが非退避時の中央押さえ部１１ｃのＲ形状のついた用紙搬送面１２に接触する。ここで、非退避時とは、中央押さえ部１１ｃが自重により下がり、用紙搬送面１２がガイド７のストッパ部１３に載っている状態をいう（図８（１）参照）。排紙トレイ３上に堆積した用紙４の用紙後端４ｋが中央押さえ部１１ｃの回動軌跡内に入らないように中央押さえ部１１ｃの長さＬｃが決められている。
【００７０】
さらに用紙４が搬送されると、中央押さえ部１１ｃは回転軸２ａを中心に押し上げられるが、中央押さえ部１１ｃの位置決め部１４がガイド８に設けてある最大退避時用ストッパ１５に接触する最大退避時において、中央押さえ部１１ｃの先端部１６は、排紙ローラ２ｂと排紙従動ローラ５ｂの共通接線１７の方向（端側押さえ部１１ａ及び中央押さえ部１１ｃが無い場合の用紙排出方向）よりも排紙ローラ２ｂ側と、共通接線１７と平行な線であって排紙従動ローラ５ｂの大径部５１の接線１８との間にあるように設定している（図８（２）参照）。排出中の用紙４は左右の内側排紙従動ローラ５ｂの間で、大径部分５１により用紙中央部分が上側に撓む傾向を持つが、中央押さえ部１１ｃにより撓みの上限を規制されるので、排紙従動ローラ５ｂの大径部５１と中央押さえ部１１ｃにより用紙にコシが付けられる。このコシ付けにより、用紙先端４ｓの排紙トレイ上に堆積された用紙４上への着地点を排紙ローラ対から遠くに離すことができ、堆積用紙の後端４ｋを押出すこともなく、よって用紙の落下やページ順狂い等のスタック不良の発生を防ぐことができる。
【００７１】
また、中央押さえ部１１ｃは排紙従動ローラ５ｂの大径部５１よりも下側に用紙を押圧しているので、図７のような排紙従動ローラ５ｂを用いた場合には、排出用紙後端４ｋは大径部の凹凸形状にひっかかり、用紙後端４ｋは確実に蹴り出される。用紙後端を蹴り出した後に、中央押さえ部１１ｃは、自重により用紙４を排紙トレイ３又は堆積している用紙４上へ押し下げるので、用紙後端４ｋは排紙ローラ対近傍に滞留せず、次の用紙による押出しや潜り込みによるページ順狂いを防止することができる。
【００７２】
このように、端側押さえ部１１ａと中央押さえ部１１ｃに対し異なる動作範囲及び形状を与えることにより得られる排出中の用紙４の形状は、図６に示したような形状になる。図６は、排紙ローラ２ｂと排紙従動ローラ５ａ，５ｂの共通接線方向から見た図である。
【００７３】
本発明の画像形成装置においては、Ａ４、レター、リーガル用紙を最大印刷用紙幅とし、前記使用頻度の高い用紙左右端部が端側押さえ部１１ａの幅内になるように設定し、端側押さえ部１１ａによる排紙トレイ３上に堆積している用紙４の用紙後端４ｋの押さえ効果や前記カール量低減効果が使用頻度の高い用紙で得られるようにしている。
また、内側の排紙ローラ２ｂに圧接する排紙従動ローラ５ｂの大径部５１を用紙搬送中心側に配置しているため、Ａ４、レター、リーガルの最大印刷用紙幅のみならず最小幅の用紙に対しても、排紙ローラ２ｂと排紙従動ローラ５ｂによる狭持、排紙従動ローラ５ｂの大径部と中央押さえ部１１ｃによるコシ付け及び用紙後端蹴りだしの効果を得ることができる。
【００７４】
さらに、排紙従動ローラ５ｂの大径部と中央押さえ部１１ｃにより用紙にコシ付けを行ないつつ、画像傷や用紙へのダメージを防ぐため、排紙従動ローラ５ｂの大径端部にはテーパ形状を付し、中央押さえ部１１ｃは先端にもテーパ形状を付し、先端に向かって幅をＷ１からＷ２に小さくし、用紙を押さえる先端部分の端部の角度を鈍角にし、さらに角部に円弧形状を付加してもよい（図８（３）参照）。また、中央押さえ部１１ｃの最大退避位置における先端位置を排紙ローラ２ｂと排紙従動ローラ５ｂの共通接線１７よりも排紙ローラ２ｂ側に規制することで、用紙押し込み量を規制して用紙へのストレスを軽減している。
【００７５】
次に、図９を用いて外側排紙従動ローラ５ａの形状について説明する。
図９（２）は、図５（１）に示された外側排紙従動ローラ５ａと端側押さえ部１１ａ部分の拡大図である。前記のように、排出中の用紙４は、外側排紙ローラ２ｂと外側排紙従動ローラ５ａによって挟持された付近を折曲がり点１８として変形されるので、用紙４の画像面側２１の外側排紙従動ローラ５ａのローラ端部２２の位置に最も強い力が加わる。特に、用紙が図１０のようなサイドカール用紙の場合その傾向は顕著になり、画像傷などが発生する恐れがある。
【００７６】
そこで、外側排紙従動ローラ５ａと外側排紙ローラ２ｂの回転軸２ａに沿う接触範囲２３を排紙ローラ幅２４の回転軸に沿う幅よりも狭くし、接触範囲２３の終了地点２５から従動ローラ５ａのローラ端部２２まで従動ローラ５ａの直径を減少させることで、同位置への力が緩和されるようにした。ローラ端部２２と折り曲げ点１８を別の場所にすることで、用紙４に加わる力が分散され、画像傷などが確実に回避される。また、直径を減少させた従動ローラ５ａのローラ端部２２の湾曲した滑らかな表面に沿って用紙４の画像面側２１がガイドされるようになり、急激な折れが生じず、画像傷などが回避される。
【００７７】
また、図５（２）及び６（２）に示される内側排紙従動ローラ５ｂについても同様に、内側排紙従動ローラ５ｂと内側排紙ローラ２ｂの回転軸２ａに沿う接触範囲を排紙ローラ幅の回転軸に沿う幅よりも狭くし、接触範囲の終了地点から従動ローラ５ｂのローラ端部まで従動ローラ５ｂの直径を減少させることで、ローラ端部と折り曲げ点を別の場所にすることができ、用紙４に加わる力が分散され、画像傷などが回避される。
【００７８】
以上のように、本実施形態の排紙装置により、排紙ローラ群の回転軸上に２種類の用紙押さえ手段を設置し、さらに排紙従動ローラの形状を用紙に対して画像傷などのダメージを与えない形状にすることで、簡単な構成によって排紙スタック性が良好になり、高画質な画像が保証される。また、本発明の画像形成装置が前記の排紙装置を具備することで、簡単な構成によって排紙スタック性が良好になり、高画質な画像を提供することができる。
【図面の簡単な説明】
【００７９】
【図１】本発明の全体図（中央断面）である。
【図２】本発明の一実施形態である排紙装置を示す模式図である。
【図３】用紙排出時の端側押さえ部の動作と端部押さえ部の詳細を示す模式図である。
【図４】用紙排出時の内側押さえ部の動作と内側押さえ部の詳細を示す模式図である。
【図５】排出中の用紙の形状を示す模式図である。
【図６】排出中の用紙の形状を示す模式図である。
【図７】大径の凸部と、ニップ部と同じ径の凹部とが周方向に交互に並んだ凹凸形状が付された、内側排紙従動ローラの大径部分を示す図である。
【図８】用紙排出時の中央押さえ部の動作と中央押さえ部の詳細を示す模式図である。
【図９】排紙従動ローラの形状を示す模式図である。
【図１０】カール用紙を示す模式図である。
【符号の説明】
【００８０】
１  排紙装置（排紙部）
２  排紙ローラ群
２ａ  回転軸
２ｂ  排紙ローラ
３  排紙トレイ（用紙積載部）
４  用紙
５ａ，５ｂ  排紙従動ローラ
６  反転従動ローラ
７  ガイド
８  ガイド
９  ガイド
１０  切り替えガイド
１１  用紙押さえ手段
１１ａ  端側押さえ部
１１ｂ  内側押さえ部
１２  用紙搬送面
１３  板バネ
１４  位置決め部
１５  退避時ストッパ
１６  先端部
１７  排紙ローラと排紙従動ローラの共通接線
１８  折曲がり点
１９  用紙左右端部
２０  カール量
２１  画像面側
２２  ローラ端部
２３  接触範囲
２４  排紙ローラ幅
２５  終了地点
２６  定着装置
２７  給紙カセット
２８  給紙ローラ
２９，３０  レジストローラ
３１  転写駆動ローラ
３２  転写従動ローラ
３３  中間転写体ベルト
３４  現像器
３５  感光体
３６  帯電ローラ
３７  感光体ユニット
３８  露光装置
３９  レーザ光
４０  定着ローラ
４１  加圧ローラ
【図１】
2010006599.tif 000003
【図２】
2010006599.tif 000004
【図３】
2010006599.tif 000005
【図４】
2010006599.tif 000006
【図５】
2010006599.tif 000007
【図６】
2010006599.tif 000008
【図７】
2010006599.tif 000009
【図８】
2010006599.tif 000010
【図９】
2010006599.tif 000011
【図１０】
2010006599.tif 000012